(57)【要約】【課題】皺を寄せることなく、便座の形状に一致して装着することができ、便座への装着性を損なうことなく、しかも便座に装着した状態で美観を伴うことができる便座カバーの提供。【解決手段】筒状の便座カバー１０は、両端が縫合により閉塞され、長手方向の中央部に長手方向を長軸とする略楕円形状、つまり、扁平に折り畳んだ状態で幅方向に湾曲した凹所を有する形状になるように切り欠きした開口部１１が設けられている。開口部１１の全周縁には、装飾付の伸縮材としてフリル付ゴム１３が縫い付けられ、フリル付ゴム１３のフリルにより開口部１１の全周縁が装飾されている。【選択図】        図１
2004344590.tif 000002
【特許請求の範囲】
【請求項１】
伸縮性を有する生地で筒状に形成され、中央部に長手方向に便座を挿通するための開口部が設けられ、前記便座の表裏面を被覆する便座カバーにおいて、
前記開口部は前記長手方向を長軸とする略楕円形状であり、
該開口部の周縁に伸縮材が取着されている
ことを特徴とする便座カバー。
【請求項２】
前記伸縮材は装飾付の伸縮材であることを特徴とする請求項１に記載の便座カバー。
【請求項３】
伸縮性を有する生地で帯状に形成され、便座の内縁部に沿わせるべき一方の長辺が、該便座の外縁部に沿わせるべき他方の長辺よりも短く、該他方の長辺の中央部に凹所が設けられ、該凹所及び各長辺に伸縮材が取着され、前記便座の裏面にて橋絡するための掛止部材が各短辺の両端部に取り付けられ、前記便座の表面から裏面にかけて被覆する便座カバーにおいて、
前記各短辺に装飾付の伸縮材が縫い付けられていることを特徴とする便座カバー。
【請求項４】
前記凹所に更に、装飾付の伸縮材が縫い付けられていることを特徴とする請求項３に記載の便座カバー。
【請求項５】
前記各短辺は浅底の袋状に形成され、
前記凹所に装飾付の伸縮材が縫い付けられ、
前記掛止部材は該凹所の両側部に取り付けられている
ことを特徴とする請求項３に記載の便座カバー。
【請求項６】
伸縮性を有する生地で筒状に形成され、便座の内縁部に沿わせるべき一方の縁部分が、該便座の外縁部に沿わせるべき他方の縁部分よりも短寸であり、該他方の縁部分の前記便座の前端部及び後端部を被覆する位置に切欠部が設けられ、各切欠部及び各縁部分に伸縮材が取着され、前記便座の後端部を被覆する位置に設けられた切欠部の両側部に前記便座の裏面にて橋絡するための掛止部材が取り付けられ、前記便座の表面から裏面にかけて被覆する便座カバーにおいて、
前記便座の後端部を被覆する位置に設けられた切欠部に、装飾付の伸縮材が縫い付けられていることを特徴とする便座カバー。
【請求項７】
前記便座の前端部を被覆する位置に設けられた切欠部に更に、装飾付の伸縮材が縫い付けられていることを特徴とする請求項６に記載の便座カバー。
【発明の詳細な説明】
【０００１】
【発明の属する技術分野】
本発明は洋式便器の便座に装着する便座カバーに関する。
【０００２】
【従来の技術】
図９は従来のＵ型の便座の便座カバーの裏面を示す平面図である（例えば、特許文献１参照）。この便座カバー６０は、伸縮性を有する生地で筒状に形成され、中央部に長手方向にスリット状の開口部６１を設け、開口部６１の周縁を折り返して端ミシンがかけられたものである。便座カバー６０の両端部は縫合により閉塞され、開口部６１の両側部近傍には、２組のホック６２，６２が設けられている。
【０００３】
便座カバー６０は、Ｕ型の便座の前端部を開口部６１に挿通し、そのまま開口部６１を便座の後端部に引き寄せた後、該後端部の側面においてホック６２，６２を係合することにより便座に装着される。
【０００４】
図１０は従来の洗浄暖房用（Ｏ型）の便座の便座カバーの裏面を示す平面図である（例えば、特許文献２参照）。この便座カバー７０は、伸縮性を有する生地で帯状に形成され、便座の内縁部に沿わせるべき一方の長辺が、便座の外縁部に沿わせるべき他方の長辺よりも短く形成されたものである。一方の長辺にはゴム７１が編み込まれ、他方の長辺は中央部に凹所７２を有するようにして袋状に形成され、ゴム紐７８が内挿されている。便座カバー７０の各短辺それぞれの両端には、扁平なゴム紐７５，７５…が輪状にして縫い止めされている。一方の輪状部にはそれぞれフック７６，７６が通されており、他方の輪状部はそれぞれ長手方向の中央部で縫い合わされている。
【０００５】
便座カバー７０は、洗浄暖房用（Ｏ型）の便座の表面に合わせ、便座の裏面においてフック７６，７６をゴム紐７５，７５の他方の輪状部の縫い合わせ部又は端部にそれぞれ引っ掛ける作業を各短辺について行った後、凹所７２及び他方の長辺を便座の前端部及び外縁部へ引っ掛け、各短辺の位置を調整することにより便座に装着される。
【０００６】
【特許文献１】
特開平８−１１７１５０号公報
【特許文献２】
特開２００１−２１２０２８号公報
【０００７】
【発明が解決しようとする課題】
特許文献１に開示されている便座カバー６０は、Ｕ型の便座の両腕を挿通した後に、便座の後端部の側面でホック６２，６２を係合させる手間を要するという問題がある。また、開口部６１の止着を解く場合に力が入りすぎると、ホック６２，６２が係合したままの状態で開口部６１の止着が解かれ、ホック６２，６２の周囲の生地に穴が開くという問題がある。更に、開口部６１はスリット状であるため、便座に装着したときに便座の後端部で皺がよりやすく、便座の形状に一致してきれいに装着させるために、皺を伸ばす手間を労することが否めないという問題がある。
【０００８】
特許文献２に開示されている便座カバー７０は、他方の長辺に凹所７２を有するため、湾曲が鋭く、環幅が狭くなっている洗浄暖房用（Ｏ型）の便座の前端部で皺を寄せることなく、便座の形状に一致して装着することができるという利点を有する。しかし、便座カバー７０を便座に装着した状態では、便座の表面側に現れる各短辺は、単に端ミシンがかけられているに過ぎないため、美観に乏しい。
【０００９】
本発明は斯かる問題に鑑みてなされたものであり、その目的とするところは、伸縮性を有する筒状の生地の中央部に、長手方向を長軸とする略楕円形状の開口部を設け、開口部の周縁に伸縮材を取着することにより、止着具を用いることなく容易に、しかもＵ型の便座の後端部で皺を寄せることなく、便座の形状に一致して装着することができる便座カバーを提供することにある。
【００１０】
本発明の他の目的は、前記開口部の周縁に装飾付の伸縮材を縫い付けることにより、Ｕ型の便座への装着性を損なうことなく開口部の周縁を装飾し、Ｕ型の便座に装着した状態で美観を伴うことができる便座カバーを提供することにある。
【００１１】
本発明の他の目的は、伸縮性を有し、長辺の長さが互いに異なる帯状の生地の各短辺に装飾付の伸縮材を縫い付けることにより、洗浄暖房用（Ｏ型）の便座への装着性を損なうことなく各短辺を装飾し、洗浄暖房用（Ｏ型）の便座に装着した状態で美観を伴うことができる便座カバーを提供することにある。
【００１２】
本発明の他の目的は、前記帯状の生地の長い方の長辺の中央部に設けた凹所に更に、装飾付の伸縮材を縫い付けることにより、製造効率を向上することができるだけでなく、洗浄暖房用（Ｏ型）の便座への装着性を損なうことなく凹所を装飾し、便座に装着した状態でたとえ凹所の一部が便座の前端部の表面側に現れた場合においても美観を伴うことができる便座カバーを提供することにある。
【００１３】
本発明の他の目的は、前記帯状の生地の各短辺を浅底の袋状に形成し、凹所に装飾付の伸縮材を縫い付け、便座の裏面にて橋絡するための掛止部材を凹所の両側部に取り付けることにより、Ｕ型の便座への装着性を損なうことなく凹所を装飾し、Ｕ型の便座に装着した状態で美観を伴うことができる便座カバーを提供することにある。
【００１４】
本発明の他の目的は、伸縮性を有し、縁部分の寸法が互いに異なる筒状の生地の便座の後端部を被覆する位置に設けた切欠部に、装飾付の伸縮材を縫い付けることにより、Ｏ型の便座への装着性を損なうことなく該切欠部を装飾し、Ｏ型の便座に装着した状態で美観を伴うことができる便座カバーを提供することにある。
【００１５】
本発明の更に他の目的は、前記筒状の生地の便座の前端部を被覆する位置に設けた切欠部に更に、装飾付の伸縮材を縫い付けることにより、製造効率を向上するだけでなく、Ｏ型の便座への装着性を損なうことなく該切欠部を装飾し、便座に装着した状態でたとえ該切欠部の一部が便座の前端部の表面側に現れた場合においても美観を伴うことができる便座カバーを提供することにある。
【００１６】
【課題を解決するための手段】
第１発明に係る便座カバーは、伸縮性を有する生地で筒状に形成され、中央部に長手方向に便座を挿通するための開口部が設けられ、前記便座の表裏面を被覆する便座カバーにおいて、前記開口部は前記長手方向を長軸とする略楕円形状であり、該開口部の周縁に伸縮材が取着されていることを特徴とする。
【００１７】
第２発明に係る便座カバーは、第１発明に係る便座カバーにおいて、前記伸縮材は装飾付の伸縮材であることを特徴とする。
【００１８】
第３発明に係る便座カバーは、伸縮性を有する生地で帯状に形成され、便座の内縁部に沿わせるべき一方の長辺が、該便座の外縁部に沿わせるべき他方の長辺よりも短く、該他方の長辺の中央部に凹所が設けられ、該凹所及び各長辺に伸縮材が取着され、前記便座の裏面にて橋絡するための掛止部材が各短辺の両端部に取り付けられ、前記便座の表面から裏面にかけて被覆する便座カバーにおいて、前記各短辺に装飾付の伸縮材が縫い付けられていることを特徴とする。
【００１９】
第４発明に係る便座カバーは、第３発明に係る便座カバーにおいて、前記凹所に更に、装飾付の伸縮材が縫い付けられていることを特徴とする。
【００２０】
第５発明に係る便座カバーは、第３発明に係る便座カバーにおいて、前記各短辺は浅底の袋状に形成され、前記凹所に装飾付の伸縮材が縫い付けられ、前記掛止部材は該凹所の両側部に取り付けられていることを特徴とする。
【００２１】
第６発明に係る便座カバーは、伸縮性を有する生地で筒状に形成され、便座の内縁部に沿わせるべき一方の縁部分が、該便座の外縁部に沿わせるべき他方の縁部分よりも短寸であり、該他方の縁部分の前記便座の前端部及び後端部を被覆する位置に切欠部が設けられ、各切欠部及び各縁部分に伸縮材が取着され、前記便座の後端部を被覆する位置に設けられた切欠部の両側部に前記便座の裏面にて橋絡するための掛止部材が取り付けられ、前記便座の表面から裏面にかけて被覆する便座カバーにおいて、前記便座の後端部を被覆する位置に設けられた切欠部に、装飾付の伸縮材が縫い付けられていることを特徴とする。
【００２２】
第７発明に係る便座カバーは、第６発明に係る便座カバーにおいて、前記便座の前端部を被覆する位置に設けられた切欠部に更に、装飾付の伸縮材が縫い付けられていることを特徴とする。
【００２３】
第１発明にあっては、開口部の周縁に伸縮材が取着されているため、Ｕ型の便座の前端部を開口部から挿入し、便座の両腕をそれぞれ挿通するようにして開口部を便座の前端部から後端部に引き寄せた後、開口部の近傍部分を後端部に引っ掛け、便座の表裏面を被覆する際に、伸縮材の弾性力により開口部が適度に伸長し、後端部に引っ掛けた後は、伸縮材の弾性力により開口部が適度に収縮する。これにより、止着具を用いることなく、便座に容易に装着することができる。
【００２４】
また、開口部は長手方向を長軸とする略楕円形状である、つまり、便座カバーを扁平に折り畳んだ状態で幅方向に凹所を有する形状であるため、Ｕ型の便座の後端部で皺を寄せることなく、便座の形状に一致して装着することができる。
【００２５】
第２発明にあっては、伸縮材の装飾は伸縮材と共に伸縮するため、Ｕ型の便座への装着性を損なわない。しかも、伸縮材の装飾により開口部の周縁が装飾される。これにより、Ｕ型の便座に装着した状態で、開口部の周縁に施された装飾が便座の表面側に現れるため、美観を伴うことができる。
【００２６】
第３発明にあっては、伸縮材の装飾は伸縮材と共に伸縮するため、洗浄暖房用（Ｏ型）の便座への装着性を損なわない。しかも、伸縮材の装飾により各短辺が装飾される。これにより、洗浄暖房用（Ｏ型）の便座の表面に合わせ、便座の裏面において２組の掛止部材をそれぞれ橋絡する作業を各短辺について行った後、凹所及び他方の長辺を便座の前端部及び外縁部に引っ掛け、各短辺の位置を調整して便座の表面から裏面にかけて被覆して便座に装着した状態では、各短辺に施された装飾が便座の表面側に現れるため、美観を伴うことができる。
【００２７】
第４発明にあっては、洗浄暖房用（Ｏ型）の便座に装着した状態で皺を寄らせないために設けられている凹所に、各短辺に縫い付けたのと同一の装飾付の伸縮材を縫い付けることができるため、製造効率を向上することができる。
また、伸縮材の装飾は伸縮材と共に伸縮するため、洗浄暖房用（Ｏ型）の便座への装着性を損なわない。しかも、伸縮材の装飾により凹所が装飾される。これにより、洗浄暖房用（Ｏ型）の便座の前端部の環幅が広く、便座カバーを便座に装着した状態でたとえ凹所の一部が便座の前端部の表面側に現れたとしても、伸縮材の装飾により凹所が装飾されているため、美観を伴うことができる。
【００２８】
第５発明にあっては、伸縮材の装飾は伸縮材と共に伸縮するため、Ｕ型の便座への装着性を損なわない。しかも、伸縮材の装飾により凹所が装飾される。これにより、各短辺の袋部分をＵ型の便座の前端部に引っ掛けた状態で、各長辺を伸長させて便座の表面から裏面にかけて被覆しつつ他方の長辺を便座の後端部へ引っ掛け、便座の後端部の裏面において掛止部材を橋絡して便座に装着した状態では、凹所に施された装飾が便座の表面側に現れるため、美観を伴うことができる。
【００２９】
第６発明にあっては、伸縮材の装飾は伸縮材と共に伸縮するため、Ｏ型の便座への装着性を損なわない。しかも、伸縮材の装飾により切欠部が装飾される。これにより、便座の前端部を被覆する位置に設けられた切欠部を、Ｏ型の便座の前端部に引っ掛けた状態で、各縁部分を伸長させて便座の表面から裏面にかけて被覆しつつ他方の縁部分を便座の後端部へ引っ掛け、便座の後端部の裏面において掛止部材を橋絡して便座に装着した状態では、便座の後端部を被覆する位置に設けられた切欠部に施された装飾が便座の表面側に現れるため、美観を伴うことができる。
【００３０】
第７発明にあっては、便座に装着した状態で皺を寄らせないために便座の前端部を被覆する位置に設けられている切欠部に、同様に便座に装着した状態で皺を寄らせないために便座の後端部を被覆する位置に設けられている切欠部に縫い付けたのと同一の装飾付の伸縮材を縫い付けることができるため、製造効率を向上することができる。
また、伸縮材の装飾は伸縮材と共に伸縮するため、Ｏ型の便座への装着性を損なわない。しかも、伸縮材の装飾により切欠部が装飾される。これにより、Ｏ型の便座の前端部の環幅が広く、便座カバーを装着した状態でたとえ切欠部の一部が便座の前端部の表面側に現れたとしても、伸縮材の装飾により切欠部が装飾されているため、美観を伴うことができる。
【００３１】
【発明の実施の形態】
以下に、本発明をその実施の形態を示す図面に基づいて詳細に説明する。
（実施の形態１）
図１は本発明の実施の形態１に係る便座カバー１０の裏面を扁平に折り畳んだ状態を示す平面図であり、図２は便座カバー１０をＵ型の便座１に装着した表面側状態を示す平面図である。
【００３２】
便座カバー１０は、筒状にパイル編みされて長手方向及び周方向に伸縮性を有し、両端が縫合により閉塞されている。便座カバー１０の長手方向の中央部には、長手方向を長軸とし、周方向の略１／２を短軸とする略楕円形状、つまり、扁平に折り畳んだ状態で幅方向に略１／２の湾曲した凹所を有する形状になるように切り欠きした開口部１１が設けられている。開口部１１の全周縁には、装飾付の伸縮材としてフリル付ゴム１３が縫い付けられ、フリル付ゴム１３のフリルにより開口部１１の全周縁が装飾されている。なお、フリル付ゴム１３のフリルは伸縮性を有し、フリル付ゴム１３の伸縮を妨げず、便座カバー１０の便座１への装着性を損なわない。
【００３３】
Ｕ型の便座１は非加温式の便座であり、後端部１ｂから前端部１ａ，１ａへ向かって徐々に幅が狭くなるように２本の腕が略Ｕ字状になるように設けられている。後端部１ｂの中央部には便器本体（図示せず）の枢支軸を貫通させる突起部１ｃ，１ｃが所定間隔離隔して設けられている。
【００３４】
以上の如き構成の便座カバー１０は、次の手順で製造される。
（１）１本の筒状にパイル編みする。（２）長手方向の中央部を切り欠いて略楕円形状の開口部１１を設ける。（３）両端を略半円状に裁断しつつ縫合して閉塞する。（４）開口部１１の全周縁にフリル付ゴム１３をまつりながら縫い付ける。なお、（３）及び（４）の製造手順は入れ換ってもよく、（１）、（３）、（２）、（４）の手順で製造してもよい。
【００３５】
続いて、便座カバー１０の便座１への装着手順を説明する。
まず、便座１の前端部１ａ，１ａを開口部１１から挿入する。次に、便座１の両腕をそれぞれ挿通するようにして開口部１１を便座１の前端部１ａ，１ａから後端部１ｂに引き寄せた後、開口部１１の近傍部分を後端部１ｂに引っ掛け、便座１の表裏面を被覆する。この際、フリル付ゴム１３の弾性力により開口部１１が適度に伸長し、後端部１ｂに引っ掛けた後は、開口部１１が適度に収縮する。便座カバー１０がこのように便座１に装着された状態では、開口部１１の全周縁に施されたフリル付ゴム１３による装飾が便座１の表面側に現れる。しかも、開口部１１は略楕円形状であるため、後端部１ｂには皺がよらずに便座１の形状に一致して装着されている。
【００３６】
（実施の形態２）
図３は本発明の実施の形態２に係る便座カバー２０の裏面を示す平面図であり、図４は便座カバー２０を洗浄暖房用（Ｏ型）の便座５に装着した表面側状態を示す斜視図である。
【００３７】
便座カバー２０は、洗浄暖房用（Ｏ型）の便座５の表面から裏面にかけて被覆するように便座５の幅よりやや広く帯状にパイル編みされて長手方向及び幅方向に伸縮性を有し、便座５の内縁部に沿わせるべき一方の長辺が、便座５の外縁部に沿わせるべき他方の長辺よりも短い。一方の長辺にはゴム２１が編み込まれ、他方の長辺の中央部には湾曲した凹所２２が設けられている。便座カバー２０の各短辺及び凹所２２には、装飾付の伸縮材としてフリル付ゴム２３，２３…が縫い付けられている。フリル付ゴム２３のフリルにより、各短辺及び凹所２２が装飾されている。なお、フリル付ゴム２３のフリルは伸縮性を有し、フリル付ゴム２３の伸縮を妨げず、便座カバー２０の便座５への装着性を損なわない。
【００３８】
凹所２２を除く他方の長辺には、ゴム２４が編み込まれている。各短辺の両端には、扁平なゴム紐２５，２５…が輪状にして縫い止めされている。一方の輪状部にはそれぞれフック２６，２６が通されており、他方の輪状部はそれぞれ掛止リング２７，２７が通されている。なお、ゴム紐２５及びフック２６と、ゴム紐２５及び掛止リング２７とが掛止部材に対応する。
【００３９】
便座５は、洗浄暖房用（Ｏ型）、つまり温水洗浄便器等の加温式の便座であり、略卵形の穴部５ｏに対して、外周が略放物線状をなしており、後端部５ｂは前端部５ａより環幅が広く形成されている。そして、便座内の発熱部（図示せず）に接続されたコード６が後端部５ｂの背面から外方へ延設されている。後端部５ｂの両端部には便器本体（図示せず）の枢支軸を貫通させる突起部５ｃ，５ｃが設けられている。
【００４０】
次に、便座カバー２０の便座５への装着手順を説明する。
まず、便座カバー２０を便座５の表面に合わせ、便座５の裏面においてゴム紐２５，２５…を伸長させてフック２６，２６をそれぞれ掛止リング２７，２７に引っ掛ける作業を各短辺について行う。次に、凹所２２及び他方の長辺を、便座５の前端部５ａ及び外縁部へ引っ掛け、最後に、各短辺の位置を調整する。便座カバー２０がこのように便座５に装着された状態では、各短辺に施されたフリル付ゴム２３，２３による装飾が便座５の表面側に現れる。なお、装着手順はこれに限定されない。
【００４１】
以上のように、便座カバー２０は、各長辺にはそれぞれゴム２１、２４が編み込まれ、凹所２２にはフリル付ゴム２３が縫い付けられているため、他方の長辺を便座５の外縁部に引っ掛けることにより一方の長辺が便座５の径方向及び周方向に引っ張られ、便座５の表面上に固定されて装着される。しかも、一方の長辺を便座５の裏面に位置させることなく便座５の内縁部に沿って装着することができるため、飛散した水によって汚れるのを防ぐことができ、衛生的である。
【００４２】
また、便座カバー２０は、凹所２２を設けていることにより、便座５の環幅が狭い前端部５ａで皺を寄せることなく便座５に装着することができるだけでなく、凹所２２を前端部５ａに引っ掛けた状態で、つまり前端部５ａの裏面において内縁部側へ大きく位置させることなく便座５に装着することができるため、凹所２２を設けていない便座カバーに比べて飛散した水によって汚れるのを防ぐことができ、衛生的である。
【００４３】
（実施の形態３）
図５は本発明の実施の形態３に係る便座カバー３０の裏面を示す平面図であり、図６は便座カバー３０をＵ型の便座１に装着した表面側状態を示す斜視図である。
【００４４】
便座カバー３０は、実施の形態２の便座カバー２０の各短辺の両端部のフック２６，２６及び掛止リング２７，２７が挿通されたゴム紐２５，２５…をなくし、凹所２２の両側部にフック２６及び掛止リング２７が挿通されたゴム紐２５，２５を輪状にして縫い止めされたものであり、各短辺が浅底の袋状に形成され、袋状の端部にはゴム２４が編み込まれている。その他の構成については、実施の形態２の便座カバー２０と同様であるため、同様の部分については同一の符号を付して説明を省略する。
【００４５】
続いて、便座カバー３０の便座１への装着手順を説明する。
まず、各短辺の袋部分を便座１の前端部１ａ，１ａに引っ掛ける。次に、各長辺を伸長させて便座１の表面から裏面にかけて被覆しつつ他方の長辺を便座１の後端部１ｂへ引っ掛ける。この際に、ゴム２１、２４の収縮力によって各長辺が絞られ、この絞りによって便座カバー３０を便座１の表面に沿って伸ばした状態で、しかも、一方の長辺を便座１の裏面に位置させることなく便座１の内縁部に沿って装着することができる。
【００４６】
最後に、便座１の後端部１ｂの裏面においてゴム紐２５，２５を伸長させてフック２６を掛止リング２７に引っ掛ける。便座カバー３０がこのように便座１に装着された状態では、凹所２２に施されたフリル付ゴム２３による装飾が便座１の表面側に現れる。なお、装着手順はこれに限定されない。
【００４７】
以上のように、便座カバー３０は、凹所２２を設けていることにより、便座１の後端部１ｂで皺を寄せることなく便座１に装着することができるだけでなく、一方の長辺を便座１の裏面に位置させることなく便座１の内縁部に沿って装着することができるため、飛散した水によって汚れるのを防ぐことができ、衛生的である。また、便座１の後端部１ｂの裏面においてフック２６を掛止リング２７に引っ掛けていることにより、便座カバー３０を便座１から離脱し難くすることができる。
【００４８】
（実施の形態４）
図７は本発明の実施の形態４に係る便座カバー４０の裏面を示す平面図であり、図８は便座カバー４０をＯ型の便座５５に装着した表面側状態を示す斜視図である。
【００４９】
便座カバー４０は、Ｏ型の便座５５の表面から裏面にかけて被覆するように筒状にパイル編みされて周方向及び幅方向に伸縮性を有し、便座５５の内縁部に沿わせるべき一方の縁部分が、便座５５の外縁部に沿わせるべき他方の縁部分よりも短寸である。一方の縁部分にはゴム４１が編み込まれ、他方の縁部分の便座５５の前端部５ａ及び後端部５ｂを被覆する位置には、湾曲した切欠部４２ａ及び４２ｂがそれぞれ設けられている。切欠部４２ａ、４２ｂには、装飾付の伸縮材としてフリル付ゴム４３，４３が縫い付けられている。フリル付ゴム４３のフリルにより、切欠部４２ａ、４２ｂが装飾されている。なお、フリル付ゴム４３のフリルは伸縮性を有し、フリル付ゴム４３の伸縮を妨げず、便座カバー４０の便座５５への装着性を損なわない。
【００５０】
切欠部４２ａ、４２ｂを除く他方の縁部分には、ゴム４４が編み込まれている。切欠部４２ｂの両側部には、扁平なゴム紐４５，４５が輪状にして縫い止めされている。一方の輪状部にはフック４６が通されており、他方の輪状部は掛止リング４７が通されている。なお、ゴム紐４５及びフック４６と、ゴム紐４５及び掛止リング４７とが掛止部材に対応する。
【００５１】
Ｏ型の便座５５は非加温式の便座であり、便座内の発熱部及びコード６を備えず、突起部５ｃ，５ｃが後端部５ｂの中央部に所定間隔離隔して設けられている点が実施の形態２の便座５と異なる。その他の構成については、実施の形態２の便座５と同様であるので、同様の部分については同一の符号を付して説明を省略する。
【００５２】
続いて、便座カバー４０の便座５５への装着手順を説明する。
まず、切欠部４２ａを便座５５の前端部５ａに引っ掛ける。次に、各縁部分を伸長させて便座５５の表面から裏面にかけて被覆しつつ他方の縁部分を便座５５の後端部５ｂへ引っ掛ける。この際に、ゴム４１、４４の収縮力によって各縁部分が絞られ、この絞りによって便座カバー４０を便座５５の表面に沿って伸ばした状態で、しかも、一方の縁部分を便座５５の裏面に位置させることなく便座５５の内縁部に沿って装着することができる。
【００５３】
最後に、便座５５の後端部５ｂの裏面においてゴム紐４５，４５を伸長させてフック４６を掛止リング４７に引っ掛ける。便座カバー４０がこのように便座５５に装着された状態では、切欠部４２ｂに施されたフリル付ゴム４３による装飾が便座５５の表面側に現れる。
【００５４】
また、便座カバー４０は次の手順により便座５５に装着することもできる。
まず、便座５５の後端部５ｂの裏面においてゴム紐４５，４５を伸長させてフック４６を掛止リング４７に引っ掛ける。次に、切欠部４２ｂを便座５５の後端部５ｂに引っ掛ける。最後に、各縁部分を伸長させて便座５５の表面から裏面にかけて被覆しつつ他方の縁部分を便座５５の前端部５ａへ引っ掛ける。
【００５５】
以上のように、便座カバー４０は、一方の縁部分を便座５５の裏面に位置させることなく便座５５の内縁部に沿って装着することができるため、飛散した水によって汚れるのを防ぐことができ、衛生的である。
また、便座カバー４０は、切欠部４２ａ、４２ｂを設けていることにより、便座５５の環幅が狭い前端部５ａ、及び後端部５ｂで皺を寄せることなく便座５５に装着することができるだけでなく、切欠部４２ａを前端部５ａに引っ掛けた状態で、つまり前端部５ａの裏面において内縁部側へ大きく位置させることなく便座５５に装着することができるため、切欠部４２ａを設けていない便座カバーに比べて飛散した水によって汚れるのを防ぐことができ、衛生的である。
【００５６】
また、便座５５の後端部５ｂの裏面においてフック４６を掛止リング４７に引っ掛けていることにより、便座カバー４０を便座５５から離脱し難くすることができ、特に、前述した後者の装着手順、つまり初めに後端部５ｂの裏面においてフック４６を掛止リング４７に引っ掛けた後、他方の縁部分を前端部５ａへ装着する際に便座カバー４０の離脱を防止することができる。
【００５７】
なお、前述の実施の形態１の便座カバー１０の開口部１１の全周縁には、装飾付の伸縮材としてフリル付ゴム１３を縫い付けたが、これに限らず、装飾が施されていない伸縮材を、縫い付け、編み込み、又は内挿する等して取着してもよい。
また、前述の実施の形態２乃至４の便座カバー２０、３０、４０には更に、裏面に便座１、５、５５に対する滑りを防止すべく滑り止め加工を施してもよい。
【００５８】
【発明の効果】
以上のように、第１発明によれば、開口部の周縁に伸縮材が取着されているため、開口部からＵ型の便座の両腕を挿通し、開口部の近傍部分を後端部に引っ掛けて便座の表裏面を被覆する際に、伸縮材の弾性力により開口部が適度に伸長し、後端部に引っ掛けた後は、伸縮材の弾性力により開口部が適度に収縮する。これにより、止着具を用いることなく、便座に容易に装着することができる。
【００５９】
しかも、開口部は長手方向を長軸とする略楕円形状である、つまり、便座カバーを扁平に折り畳んだ状態で幅方向に凹みとなる湾曲した凹所を有する形状であるため、Ｕ型の便座の後端部で皺を寄せることなく、便座の形状に一致して装着することができる。
【００６０】
また、第２発明によれば、伸縮材の装飾は伸縮材と共に伸縮するため、Ｕ型の便座への装着性を損なわない。しかも、伸縮材の装飾により開口部の周縁が装飾される。これにより、便座カバーをＵ型の便座に装着した状態では、開口部の周縁に施された装飾が便座の表面側に現れるため、美観を伴うことができる。
【００６１】
また、第３発明によれば、伸縮材の装飾は伸縮材と共に伸縮するため、洗浄暖房用（Ｏ型）の便座への装着性を損なわない。しかも、伸縮材の装飾により各短辺が装飾される。これにより、便座カバーを洗浄暖房用（Ｏ型）の便座の表面から裏面にかけて被覆して装着した状態では、各短辺に施された装飾が便座の表面側に現れるため、美観を伴うことができる。
【００６２】
また、第４発明によれば、洗浄暖房用（Ｏ型）の便座に装着した状態で皺を寄らせないために設けられている凹所に、各短辺に縫い付けたのと同一の装飾付の伸縮材を縫い付けることができるため、製造効率を向上することができる。これに加え、伸縮材の装飾は伸縮材と共に伸縮するため、洗浄暖房用（Ｏ型）の便座への装着性を損なわない。しかも、伸縮材の装飾により凹所が装飾される。これにより、洗浄暖房用（Ｏ型）の便座の前端部の環幅が広く、便座カバーを便座に装着した状態でたとえ凹所の一部が便座の前端部の表面側に現れたとしても、伸縮材の装飾により凹所が装飾されているため、美観を伴うことができる。
【００６３】
また、第５発明によれば、伸縮材の装飾は伸縮材と共に伸縮するため、Ｕ型の便座への装着性を損なわない。しかも、伸縮材の装飾により凹所が装飾される。これにより、便座カバーをＵ型の便座の表面から裏面にかけて被覆して装着した状態では、凹所に施された装飾が便座の表面側に現れるため、美観を伴うことができる。
【００６４】
また、第６発明によれば、伸縮材の装飾は伸縮材と共に伸縮するため、Ｏ型の便座への装着性を損なわない。しかも、伸縮材の装飾により切欠部が装飾される。これにより、便座カバーをＯ型の便座の表面から裏面にかけて被覆して装着した状態では、便座の後端部を被覆する位置に設けられた切欠部に施された装飾が便座の表面側に現れるため、美観を伴うことができる。
【００６５】
更に、第７発明によれば、便座に装着した状態で皺を寄らせないために便座の前端部を被覆する位置に設けられている切欠部に、同様に便座に装着した状態で皺を寄らせないために便座の後端部を被覆する位置に設けられている切欠部に縫い付けたのと同一の装飾付の伸縮材を縫い付けることができるため、製造効率を向上することができる。これに加え、伸縮材の装飾は伸縮材と共に伸縮するため、Ｏ型の便座への装着性を損なわない。しかも、伸縮材の装飾により切欠部が装飾される。これにより、Ｏ型の便座の前端部の環幅が広く、便座カバーを装着した状態でたとえ切欠部の一部が便座の前端部の表面側に現れたとしても、伸縮材の装飾により切欠部が装飾されているため、美観を伴うことができる。
【図面の簡単な説明】
【図１】本発明の実施の形態１に係る便座カバーの裏面を扁平に折り畳んだ状態を示す平面図である。
【図２】本発明の実施の形態１に係る便座カバーをＵ型の便座に装着した表面側状態を示す平面図である。
【図３】本発明の実施の形態２に係る便座カバーの裏面を示す平面図である。
【図４】本発明の実施の形態２に係る便座カバーを洗浄暖房用（Ｏ型）の便座に装着した表面側状態を示す斜視図である。
【図５】本発明の実施の形態３に係る便座カバーの裏面を示す平面図である。
【図６】本発明の実施の形態３に係る便座カバーをＵ型の便座に装着した表面側状態を示す斜視図である。
【図７】本発明の実施の形態４に係る便座カバーの裏面を示す平面図である。
【図８】本発明の実施の形態４に係る便座カバーをＯ型の便座に装着した表面側状態を示す斜視図である。
【図９】従来のＵ型の便座の便座カバーの裏面を示す平面図である。
【図１０】従来の洗浄暖房用（Ｏ型）の便座の便座カバーの裏面を示す平面図である。
【符号の説明】
１  Ｕ型の便座
５  洗浄暖房用（Ｏ型）の便座
５５  Ｏ型の便座
１０，２０，３０，４０  便座カバー
１１  開口部
１３，２３，４３  フリル付ゴム
２１，２４，４１，４４  ゴム
２２  凹所
２５，４５  ゴム紐
２６，４６  フック
２７，４７  掛止リング
４２ａ，４２ｂ  切欠部
【図１】
2004344590.tif 000003
【図２】
2004344590.tif 000004
【図３】
2004344590.tif 000005
【図４】
2004344590.tif 000006
【図５】
2004344590.tif 000007
【図６】
2004344590.tif 000008
【図７】
2004344590.tif 000009
【図８】
2004344590.tif 000010
【図９】
2004344590.tif 000011
【図１０】
2004344590.tif 000012